(57)【要約】【課題】衛生洗浄装置の流路切替弁装置において、ケーシングに設けられた排水口から排出された漏水が他の部品に接触することを抑制し、ケーシングからの漏水が他の部品に悪影響を及ぼすことを防止する。【解決手段】水を吐出する複数の吐水部の上流側に設けられ、各吐水部への流路に対して水を供給する流路を切り替える流調・流路切替弁装置５０であって、流路を切り替えるために動作する可動ディスク５３を含む可動部と、可動部を収容するケーシング５１と、可動部とケーシング５１側との間に設けられたパッキン７６と、を備え、ケーシング５１は、パッキン７６によるシール部からの漏水をケーシング５１の外部に排出するための排水口１０１と、排水口１０１から排出された漏水を所定の位置に導く排水流路部１０２と、を有し、排水流路部１０２は、排水口１０１を少なくとも一側から覆う被覆壁部１１５を含む。【選択図】図４
2020118262.tif 000002
【特許請求の範囲】
【請求項１】
水を吐出する複数の吐水部の上流側に設けられ、各吐水部への流路に対して水を供給する流路を切り替える流路切替弁装置であって、
流路を切り替えるために動作する可動弁体を含む可動部と、
前記可動部を収容するケーシングと、
前記可動部と前記ケーシング側との間に設けられたシール部材と、を備え、
前記ケーシングは、前記シール部材によるシール部からの漏水を前記ケーシングの外部に排出するための排水口と、前記排水口から排出された漏水を所定の位置に導く排水流路部と、を有し、
前記排水流路部は、前記排水口を少なくとも一側から覆う被覆部を含む
ことを特徴とする流路切替弁装置。
【請求項２】
前記排水流路部は、前記被覆部を有し前記排水口から排出された漏水を流下させる第１流路部と、前記第１流路部から流下した漏水を受ける受け面を有し前記受け面上の漏水を前記排水流路部の下流側へと導く第２流路部と、を有する
ことを特徴とする請求項１に記載の流路切替弁装置。
【請求項３】
前記第１流路部は、前記排水口から排出された漏水を前記受け面に流下させるための垂下部を有し、
前記垂下部は、下方に対して先鋭形状を有する
ことを特徴とする請求項２に記載の流路切替弁装置。
【請求項４】
前記第１流路部は、所定の横方向について一側から漏水を流下させるように形成されており、
前記排水流路部は、前記所定の横方向について互いの間に前記垂下部を位置させるように対向状に設けられ前記受け面に流下した水を案内する一対の障壁部を有する
ことを特徴とする請求項３に記載の流路切替弁装置。
【請求項５】
水を吐出する複数の吐水部と、前記複数の吐水部の上流側に設けられ、各吐水部への流路に対して水を供給する流路を切り替える流路切替弁装置と、を備えた衛生洗浄装置であって、
前記流路切替弁装置は、
流路を切り替えるために動作する可動弁体を含む可動部と、
前記可動部を収容するケーシングと、
前記可動部と前記ケーシング側との間に設けられたシール部材と、を備え、
前記ケーシングは、前記シール部材によるシール部からの漏水を前記ケーシングの外部に排出するための排水口と、前記排水口から排出された漏水を所定の位置に導く排水流路部と、を有し、
前記排水流路部は、前記排水口を少なくとも一側から覆う被覆部を含む
ことを特徴とする衛生洗浄装置。
【発明の詳細な説明】
【技術分野】
【０００１】
本発明は、洗浄水により人体の局部を洗浄する衛生洗浄装置に備えられる流路切替弁装置および衛生洗浄装置に関する。
【背景技術】
【０００２】
従来、例えば洋式腰掛便器等の便器に搭載されて人体の局部を洗浄する衛生洗浄装置においては、複数の洗浄水（水）の供給先に対して水の流路を切り替えるための流路切替弁装置が設けられている。流路切替弁装置としては、相対移動する２つのバルブディスクを有し、これらのバルブディスクの位置関係によって流路を切り替えるディスクバルブ機構を備えたものが知られている（例えば、特許文献１参照。）。
【０００３】
特許文献１には、バルブディスクとして所定の中心軸を中心に回動可能に設けられた回動ディスクと、水の供給先に連通する複数の通水孔が形成された固定ディスクとを有し、これらのバルブディスクをケーシング（ハウジング）内に収納した構成が開示されている。かかる構成においては、回動ディスクの動作により、ケーシング内に供給された水の流路が切り替えられる。
【０００４】
上述したような構成の流路切替弁装置では、ケーシングの内部において、水の供給を受ける空間部分を密閉するため、バルブディスクあるいはバルブディスクと一体的に可動する部分とケーシングとの間にシール部材が設けられる。特許文献１には、ケーシングの周壁と、回動ディスクおよび回動ディスクの両ディスクの外周端との間に、ゴム等からなるシール部材を介装した構成が開示されている。また、シール部材は、バルブディスクの動作による摺動部分となるため、シール部材には適宜グリスが塗布される。
【０００５】
以上のような構成の流路切替弁装置においては、シール部材の摩耗等の経年劣化やグリスの流出等により、シール部材によるシール性が低下することで、シール部材によるシール部分からの漏水が生じる場合がある。シール部分からの漏水の漏出先は、本来水が流入する空間部分ではないため、シール部分からの漏水がケーシング内に溜まると装置の不具合の原因となる。そこで、従来、ケーシングにおいて、シール部材によるシール部分から漏出した水を排出するための排水口を設ける技術がある。
【先行技術文献】
【特許文献】
【０００６】
【特許文献１】特許第３２８７５０６号公報
【発明の概要】
【発明が解決しようとする課題】
【０００７】
上述したようにケーシングに設けられた排水口から排出された漏水（排出漏水）は、例えば、衛生洗浄装置において流路切替弁装置を含む各種の装置・機器を内蔵した装置本体部の筐体内に落とされ、外部へと排出される。具体的には、例えば、排出漏水は、装置本体部の筐体の底部上を伝って、便器のボウル部へと排出される。
【０００８】
装置本体部の筐体内において、流路切替弁装置の周囲には、配線等を含む各種装置・機器といった他の部品が配置されている。このため、他の部品に対する水による悪影響を回避する観点から、他の部品に排出漏水が接触することを避ける必要がある。特に、衛生洗浄装置の小型化が進むにしたがい、装置本体部の筐体内における各種装置・機器の密集度が高くなるため、他の部品に対する排出漏水の接触を避けることは重要である。
【０００９】
本発明は、このような問題点に鑑みてなされたものであり、ケーシングに設けられた排水口から排出された漏水が他の部品に接触することを抑制することができ、ケーシングからの漏水が他の部品に悪影響を及ぼすことを防止することができる流路切替弁装置および衛生洗浄装置を提供することを目的とする。
【課題を解決するための手段】
【００１０】
本発明に係る流路切替弁装置は、水を吐出する複数の吐水部の上流側に設けられ、各吐水部への流路に対して水を供給する流路を切り替える流路切替弁装置であって、流路を切り替えるために動作する可動弁体を含む可動部と、前記可動部を収容するケーシングと、前記可動部と前記ケーシング側との間に設けられたシール部材と、を備え、前記ケーシングは、前記シール部材によるシール部からの漏水を前記ケーシングの外部に排出するための排水口と、前記排水口から排出された漏水を所定の位置に導く排水流路部と、を有し、前記排水流路部は、前記排水口を少なくとも一側から覆う被覆部を含むものである。
【００１１】
このような構成の流路切替弁装置によれば、ケーシングに設けられた排水口から排出された漏水が他の部品に接触することを抑制することができ、ケーシングからの漏水が他の部品に悪影響を及ぼすことを防止することができる。
【００１２】
本発明に係る流路切替弁装置の他の態様は、前記排水流路部は、前記被覆部を有し前記排水口から排出された漏水を流下させる第１流路部と、前記第１流路部から流下した漏水を受ける受け面を有し前記受け面上の漏水を前記排水流路部の下流側へと導く第２流路部と、を有するものである。
【００１３】
このような構成の流路切替弁装置によれば、排水流路部における排出漏水の流れを、複数段階の流路に分けることができ、流路切替弁装置の周囲に存在する部品に排出漏水がかかることを効果的に防止することができる。
【００１４】
本発明に係る流路切替弁装置の他の態様は、前記第１流路部は、前記排水口から排出された漏水を前記受け面に流下させるための垂下部を有し、前記垂下部は、下方に対して先鋭形状を有するものである。
【００１５】
このような構成の流路切替弁装置によれば、第１流路部から流下する排出漏水について、水切り性を向上させることができ、第１流路部内に水が溜まることを抑制することができる。
【００１６】
本発明に係る流路切替弁装置の他の態様は、前記第１流路部は、所定の横方向について一側から漏水を流下させるように形成されており、前記排水流路部は、前記所定の横方向について互いの間に前記垂下部を位置させるように対向状に設けられ前記受け面に流下した水を案内する一対の障壁部を有するものである。
【００１７】
このような構成の流路切替弁装置によれば、垂下部から流下した受け面上の排出漏水の所定の横方向の両側についての流動範囲を規制することができ、排出漏水を確実に狙った位置に導くことが可能となる。
【００１８】
本発明に係る衛生洗浄装置は、水を吐出する複数の吐水部と、前記複数の吐水部の上流側に設けられ、各吐水部への流路に対して水を供給する流路を切り替える流路切替弁装置と、を備えた衛生洗浄装置であって、前記流路切替弁装置は、流路を切り替えるために動作する可動弁体を含む可動部と、前記可動部を収容するケーシングと、前記可動部と前記ケーシング側との間に設けられたシール部材と、を備え、前記ケーシングは、前記シール部材によるシール部からの漏水を前記ケーシングの外部に排出するための排水口と、前記排水口から排出された漏水を所定の位置に導く排水流路部と、を有し、前記排水流路部は、前記排水口を少なくとも一側から覆う被覆部を含むものである。
【００１９】
このような構成の衛生洗浄装置によれば、流路切替弁装置のケーシングに設けられた排水口から排出された漏水が他の部品に接触することを抑制することができ、ケーシングからの漏水が他の部品に悪影響を及ぼすことを防止することができる。
【発明の効果】
【００２０】
本発明によれば、ケーシングに設けられた排水口から排出された漏水が他の部品に接触することを抑制することができ、ケーシングからの漏水が他の部品に悪影響を及ぼすことを防止することができる。
【図面の簡単な説明】
【００２１】
【図１】本発明の一実施形態に係るトイレ装置を示す斜視図である。
【図２】本発明の一実施形態に係る衛生洗浄装置を示すブロック図である。
【図３】本発明の一実施形態に係る流調・流路切替弁装置およびそれに関する構成を模式的に示す図である。
【図４】本発明の一実施形態に係る流調・流路切替弁装置の前方斜視図である。
【図５】本発明の一実施形態に係る流調・流路切替弁装置の正面図である。
【図６】本発明の一実施形態に係る流調・流路切替弁装置の背面図である。
【図７】本発明の一実施形態に係る流調・流路切替弁装置の左側面図である。
【図８】本発明の一実施形態に係る流調・流路切替弁装置の右側面図である。
【図９】本発明の一実施形態に係る流調・流路切替弁装置の平面図である。
【図１０】図９におけるＡ−Ａ’断面図である。
【図１１】本発明の一実施形態に係る流調・流路切替弁装置の分解斜視図である。
【図１２】本発明の一実施形態に係る流調・流路切替弁装置に対する電解槽の配置構成を示す正面図である。
【図１３】本発明の一実施形態に係る流調・流路切替弁装置に対する電解槽の配置構成を示す左側面図である。
【図１４】本発明の一実施形態に係る流調・流路切替弁装置に対する電解槽の配置構成を示す平面図である。
【図１５】本発明の一実施形態に係る漏水の排水構造を示す斜視図である。
【図１６】本発明の一実施形態に係る漏水の排水構造を示す縦断面図である。
【図１７】本発明の一実施形態に係る漏水の排水構造を示す断面斜視図である。
【図１８】本発明の一実施形態に係る漏水の排水構造を示す平面図である。
【図１９】本発明の一実施形態に係る漏水の排水構造を示す正面図である。
【図２０】本発明の一実施形態に係る漏水の排水構造を示す左側面図である。
【図２１】本発明の一実施形態に係る漏水の排水構造における垂下部の形状を示す縦断面図である。
【発明を実施するための形態】
【００２２】
本発明は、衛生洗浄装置に備えられる流路切替弁装置において、例えば一対のバルブディスクを含むディスクバルブ機構を収容するケーシングの構成等を工夫することにより、ケーシングから排出される漏水が周りの部品に影響を与えることを防止しようとするものである。以下、本発明の実施の形態について図面を参照して説明する。本実施形態では、流路切替弁装置を備えた衛生洗浄装置が、トイレ装置において洋式腰掛便器の上に設置された構成を例にとって説明する。
【００２３】
図１に示すように、本実施形態に係るトイレ装置１は、人体（使用者）の局部を洗浄する衛生洗浄装置２と、洋式腰掛便器である便器３とを備える。衛生洗浄装置２は、トイレ装置１において、便器３の上に設置された状態で設けられている。衛生洗浄装置２は、便器３に対して着脱可能に取り付けられた構成であってもよく、便器３と一体的に設けられた構成であってもよい。
【００２４】
便器３は、上側を開放側とした凹状のボウル部３ａを有する。便器３は、ボウル部３ａにおいてトイレ装置１の使用者の尿や便などの排泄物を受ける。
【００２５】
衛生洗浄装置２は、筐体をなすケースカバー５内に各種の装置構成を内蔵した装置本体部４と、装置本体部４のケースカバー５に対して回動可能に支持された便座６および便蓋７とを有する。ケースカバー５は、その底部をなすベース部と、ベース部を上側から覆うカバー部とを有し、ベース部上に、ケースカバー５に内蔵される各種の装置構成が設置されている。衛生洗浄装置２は、便器３に対して、装置本体部４をボウル部３ａの後方の上側に位置させ、便座６および便蓋７の回動動作によってボウル部３ａの上側の開放部を開閉するように設けられる。
【００２６】
衛生洗浄装置２について、図２を参照して説明する。図２に示すように、衛生洗浄装置２は、制御部１０と、操作部１１と、洗浄水供給部１２と、着座検知センサ１３と、人体検知センサ１４と、洗浄ノズル１５と、ノズル洗浄室１６と、噴霧ノズル１７と、脱臭ユニット１８とを有する。なお、図２は、洗浄水の供給経路の構成と制御部１０による制御構成を併せて示している。
【００２７】
制御部１０は、洗浄水供給部１２や脱臭ユニット１８等の各部の動作を制御する。制御部１０は、例えば、操作部１１に対する操作に基づく操作部１１からの入力信号に応じて、各部の動作を制御する。操作部１１は、衛生洗浄装置２の装置本体部４に設けてられてもよいし、装置本体部４とは別に設けられてもよい。操作部１１は、例えばリモートコントローラとして設けられる。また、制御部１０と操作部１１との間の通信方式は、有線であっても無線であってもよい。
【００２８】
洗浄水供給部１２は、水道等の所定の給水源からの給水を受け、供給された洗浄水（水）を、衛生洗浄装置２が有する複数の吐水部としての洗浄水の供給先へと選択的に供給する。洗浄水供給部１２は、流路開閉弁２１と、熱交換器２２と、電解槽２３と、大気解放式のバキュームブレーカ（ＶＢ）２４と、電磁ポンプ２５と、流路切替弁装置の一例である流調・流路切替弁装置５０とを有する。
【００２９】
流路開閉弁２１は、例えば電磁弁であり、洗浄水供給部１２の上流側において、洗浄水供給部１２に供給される水の流路を開閉する。つまり、流路開閉弁２１は、その開閉動作によって、給水源から供給される洗浄水の給水と止水とを切り替える。流路開閉弁２１は、制御部１０からの制御信号に基づいて開閉動作する。
【００３０】
熱交換器２２は、流路開閉弁２１の下流側に設けられている。熱交換器２２は、ヒータを有し、ヒータにより、給水源から供給された洗浄水を加熱して温水とする。熱交換器２２により得られる温水の温度は、例えば操作部１１において使用者によって設定される。このように熱交換器２２を有する洗浄水供給部１２から各供給先に供給される洗浄水には、給水源から供給されたままの水と、熱交換器２２によって加熱された温水とが含まれる。熱交換器２２は、例えばセラミックヒータ等を用いた瞬間加熱式のものでもよいし、貯湯タンクを用いた貯湯加熱式のものでもよい。
【００３１】
電解槽２３は、熱交換器２２の下流側に設けられている。電解槽２３は、一対の電極を有し、電極間に流れる洗浄水を電気分解する。電解槽２３は、洗浄水に含まれる塩素イオンを電気分解することにより、機能水として、次亜塩素酸（ＨＣｌＯ）を含む水を生成する。電解槽２３における通電動作は、制御部１０からの制御信号に基づいて制御される。電解槽２３は、配線２３ａにより制御部１０に接続されている。
【００３２】
電解槽２３を通過した洗浄水あるいは電解槽２３により生成された機能水（以下まとめて「洗浄水」または「水」ともいう。）は、電磁ポンプ２５を介して、流調・流路切替弁装置５０へと送られる。流調・流路切替弁装置５０は、電磁ポンプ２５と洗浄ノズル１５との間に設けられている。流調・流路切替弁装置５０においては、洗浄水の流量の調整、および複数の洗浄水の供給先に対する流路の切替えが行われる。
【００３３】
本実施形態に係る衛生洗浄装置２は、洗浄水の供給先として、洗浄ノズル１５、ノズル洗浄室１６、噴霧ノズル１７、および脱臭ユニット１８を有する。なお、洗浄ノズル１５に供給される洗浄水については、適宜電磁ポンプ２５によって脈動が与えられる。
【００３４】
着座検知センサ１３は、使用者の着座として、便座６に着座する直前の使用者や便座６に着座した状態の使用者を検知する。着座検知センサ１３は、その検知信号を制御部１０に対して出力する。着座検知センサ１３は、例えば、赤外線投受光式の測距センサや、便座６に着座した使用者の荷重を検知するスイッチである。
【００３５】
人体検知センサ１４は、トイレ装置１が設置されたトイレルーム内に入室した使用者を検知する。人体検知センサ１４は、その検知信号を制御部１０に対して出力する。人体検知センサ１４は、例えば、赤外線信号を利用した焦電センサや、マイクロ波を用いたマイクロ波ドップラセンサ等の電波センサである。
【００３６】
洗浄ノズル１５は、人体（使用者）の局部を洗浄する洗浄水を吐出する複数の吐水孔２６を有する。本実施形態では、洗浄ノズル１５は、吐水孔２６として、おしり洗浄用のおしり洗浄吐水孔２６ａおよびおしりソフト吐水孔２６ｂ、並びにビデ・ワイドビデ洗浄用のビデ・ワイドビデ洗浄吐水孔２６ｃを有し、各吐水孔２６から洗浄水を吐水可能に構成されている。洗浄ノズル１５は、装置本体部４から便器３のボウル部３ａ内に対して進退可能に設けられており、トイレ装置１の使用者によるスイッチ操作等に応じて、ボウル部３ａ内に伸び出て吐水孔２６から洗浄水を噴射する。
【００３７】
また、洗浄ノズル１５においては、各吐水孔２６に連通する流路が形成されている。これらの流路は、流調・流路切替弁装置５０から各吐水孔２６に連通する人体洗浄用給水流路の一部を構成する。本実施形態に係る衛生洗浄装置２は、人体洗浄用給水流路として、第１の給水流路であるおしり洗浄流路３１と、第２の給水流路であるおしりソフト流路３２と、第３の給水流路であるビデ洗浄流路３３と、第４の給水流路であるワイドビデ洗浄流路３４とを有する。
【００３８】
おしり洗浄流路３１は、その下流側においておしり洗浄吐水孔２６ａに連通し、おしり洗浄吐水孔２６ａに洗浄水を供給する。おしりソフト流路３２は、その下流側においておしりソフト吐水孔２６ｂに連通し、おしりソフト吐水孔２６ｂに洗浄水を供給する。ビデ洗浄流路３３およびワイドビデ洗浄流路３４は、それぞれの下流側においてビデ・ワイドビデ洗浄吐水孔２６ｃに連通し、ビデ・ワイドビデ洗浄吐水孔２６ｃに洗浄水を供給する。なお、洗浄ノズル１５が有する複数の吐水孔２６に対する人体洗浄用給水流路の構成は、本実施形態に限定されるものではなく、例えば、吐水孔２６と人体洗浄用給水流路が１対１で対応した構成であってもよい。
【００３９】
各吐水孔２６に供給された洗浄水は、吐水孔２６から上方へ向けて吐出され、便座６に着座した状態の使用者の局部洗浄等に用いられる。洗浄ノズル１５においては、ビデ洗浄流路３３およびワイドビデ洗浄流路３４によりビデ・ワイドビデ洗浄吐水孔２６ｃが共用されており、ビデ洗浄流路３３から供給される洗浄水により、ビデ洗浄が行われ、ワイドビデ洗浄流路３４から供給される洗浄水により、ワイドビデ洗浄が行われる。また、電解槽２３により生成された機能水は、人体洗浄用給水流路および吐水孔２６の洗浄等に用いられる。
【００４０】
ノズル洗浄室１６は、吐水口を有し、この吐水口から洗浄水を吐出することにより、洗浄ノズル１５の外面の洗浄、即ち胴体洗浄を行う。ノズル洗浄室１６に対しては、流調・流路切替弁装置５０から第５の給水流路であるノズル洗浄用流路３５が設けられている。ノズル洗浄用流路３５は、その下流側をノズル洗浄室１６の吐水口に連通させ、ノズル洗浄室１６に対してノズル洗浄用の洗浄水を供給する。
【００４１】
噴霧ノズル１７は、噴霧口を有し、この噴霧口から便器３のボウル部３ａの表面に洗浄水を噴霧する。噴霧ノズル１７は、ケースカバー５の内部あるいは外部に設けられる。噴霧ノズル１７に対しては、流調・流路切替弁装置５０から第６の給水流路である便器噴霧用流路３６が設けられている。便器噴霧用流路３６は、その下流側を噴霧ノズル１７の噴霧口に連通させ、噴霧ノズル１７に対して便器噴霧用の洗浄水を供給する。
【００４２】
脱臭ユニット１８は、主として便器３の外部の空気（ボウル部３ａ内の空気以外の空気）を吸い込み、吸い込んだ空気に含まれるアンモニア成分等の悪臭成分を捕集または分解し、トイレルームに吐き出す。脱臭ユニット１８は、吸気口４１ａおよび排気口４１ｂが形成されたケース体４１を有し、ケース体４１内に、集塵フィルタ４２、送風ファン４３、脱臭フィルタ４４、水受け部４５、および噴霧部４６を有する。
【００４３】
集塵フィルタ４２は、吸気口４１ａと送風ファン４３との間に設けられ、吸気口４１ａから吸い込まれる空気に含まれる塵や埃などを捕らえる。送風ファン４３は、トイレルーム内の空気を吸気口４１ａから吸い込み、ケース体４１内で脱臭された空気を排気口４１ｂから吐き出す。脱臭フィルタ４４は、例えば、多孔質構造を有し、送風ファン４３と排気口４１ｂとの間に設けられ、噴霧部４６から噴霧された洗浄水を保持する。脱臭フィルタ４４は、その保持した水分により、空気中の悪臭成分を取り込む。水受け部４５は、脱臭フィルタ４４の下方に設けられ、脱臭フィルタ４４から滴下した水を受ける。
【００４４】
噴霧部４６は、噴霧口を有し、脱臭フィルタ４４の上方に設けられ、噴霧口から脱臭フィルタ４４に対して洗浄水を噴霧する。噴霧部４６は、電磁弁を有し、その電磁弁を開弁させることで、噴霧動作を行う。噴霧部４６の電磁弁は、制御部１０からの制御信号に基づいて開閉動作する。噴霧部４６に対しては、流調・流路切替弁装置５０から第７の給水流路である脱臭ユニット噴霧用流路３７が設けられている。脱臭ユニット噴霧用流路３７は、その下流側を噴霧部４６の噴霧口に連通させ、噴霧部４６に対して脱臭ユニット噴霧用の洗浄水を供給する。
【００４５】
以上のように、本実施形態に係る衛生洗浄装置２は、給水源から供給された水を吐出する複数の吐水部と、複数の吐水部の上流側に設けられ、各吐水部への流路（給水流路）に対して水を供給する流路を切り替える流調・流路切替弁装置５０とを備えている。ここで、衛生洗浄装置２が備える複数の吐水部は、洗浄ノズル１５の複数の吐水孔２６、ノズル洗浄室１６、噴霧ノズル１７、および脱臭ユニット１８の噴霧部４６である。
【００４６】
すなわち、流調・流路切替弁装置５０は、電磁ポンプ２５を介して供給された洗浄水の行先を、おしり洗浄吐水孔２６ａに連通するおしり洗浄流路３１、おしりソフト吐水孔２６ｂに連通するおしりソフト流路３２、ビデ・ワイドビデ洗浄吐水孔２６ｃに連通するビデ洗浄流路３３とワイドビデ洗浄流路３４、ノズル洗浄室１６の吐水口に連通するノズル洗浄用流路３５、噴霧ノズル１７の噴霧口に連通する便器噴霧用流路３６、および脱臭ユニット１８の噴霧部４６の噴霧口に連通する脱臭ユニット噴霧用流路３７のいずれかの給水流路に切り替える。
【００４７】
このように、流調・流路切替弁装置５０は、給水源から供給された水を吐出する複数の吐水部の上流側に設けられ、各吐水部への給水流路に対して水を供給する流路を切り替える流路切替手段として機能する。また、流調・流路切替弁装置５０は、洗浄ノズル１５の各吐水孔２６から吐水する洗浄水の流量を変化させる。
【００４８】
以下、本実施形態に係る流調・流路切替弁装置５０について、図３から図１１を用いて説明する。なお、図３は、洗浄水の供給経路の構成と制御部１０による制御構成を併せて示している。また、本実施形態に係る流調・流路切替弁装置５０においては、図５に示す側を正面側（前側）、その反対側（図６に示す側）を背面側（後側）とし、図５における左側および右側をそれぞれ左側および右側とし、図５における上側および下側をそれぞれ上側および下側とする。図１および図４に示すように、流調・流路切替弁装置５０における前後・左右・上下方向は、トイレ装置１における前後・左右・上下方向に対応している。
【００４９】
流調・流路切替弁装置５０は、相対移動することで流路を切り替える複数のバルブディスク（５２，５３）と、複数のバルブディスクを収容するケーシング５１と、ケーシング５１から突出した状態で設けられ、上述した複数の吐水部の各吐水部に対する流路を構成する排水管部５４とを有する。
【００５０】
本実施形態に係る流調・流路切替弁装置５０は、複数のバルブディスクとして、ケーシング５１に対して固定状態で設けられた第１のバルブディスである固定ディスク５２と、固定ディスク５２の上側に位置し、固定ディスク５２に対して回動可能に設けられた第２のバルブディスである可動ディスク５３とを有する。また、流調・流路切替弁装置５０は、ディスクバルブ機構の駆動源としてのモータ５５を有する。モータ５５は、可動ディスク５３を回動させることで、ディスクバルブ機構を駆動させる。
【００５１】
モータ５５は、ケーシング５１の上側に設けられている。モータ５５は、例えば、パルス電力に同期して回動するステッピングモータ（パルスモータ）である。モータ５５は、配線５５ｄ（図４参照）により制御部１０に接続されており、制御部１０により、モータ５５の回動動作が制御される。
【００５２】
モータ５５は、略円筒状のケース体内にコイルやロータ等を収納したモータ本体部５５ａと、モータ本体部５５ａから突出したモータ軸５５ｂとを有する。モータ５５は、モータ軸５５ｂを下方に向けて突出させるとともに、モータ軸５５ｂの軸方向を上下方向とする向きで設けられている。つまり、流調・流路切替弁装置５０は、トイレ装置１において便器３に対して設けられた衛生洗浄装置２において、モータ軸５５ｂの軸方向を上下方向（鉛直方向）とするように設けられている。
【００５３】
このように、流調・流路切替弁装置５０は、ケーシング５１の上側にモータ５５を配置するとともにモータ軸５５ｂの軸方向を上下方向とし、いわゆる縦置きタイプの装置として構成されている。なお、ディスクバルブ機構の駆動源としては、モータ５５に限らず、ディスクバルブ機構において所望される動作が得られるようにバルブディスクを動作させることができるものであればよい。
【００５４】
固定ディスク５２および可動ディスク５３は、いずれも略円板状の部材であり、ケーシング５１内において、板面を上下方向に垂直な面とする向きで、固定ディスク５２を下側、可動ディスク５３を上側として上下に重なった状態（対面した状態）で設けられている。固定ディスク５２および可動ディスク５３は、互いに同心配置され、可動ディスク５３の回動により位置関係を変化させて流路を切り替えるディスクバルブ機構を構成する。ディスクバルブ機構においては、可動ディスク５３側が上流側、固定ディスク５２側が下流側となる。そして、可動ディスク５３は、その回転軸Ｏ１（図３参照）の方向を上下方向とする。
【００５５】
固定ディスク５２は、ケーシング５１内において、その中心軸回りについて回動不能な状態で設けられている。固定ディスク５２は、おしり洗浄流路３１、おしりソフト流路３２、ビデ洗浄流路３３、ワイドビデ洗浄流路３４、ノズル洗浄用流路３５、便器噴霧用流路３６、および脱臭ユニット噴霧用流路３７の各給水流路に連通する複数の排水ポート５２ａを有する。これらの排水ポート５２ａは、可動ディスク５３側（上側）に開口するとともに下側に向けて開口した開口部である。
【００５６】
可動ディスク５３は、固定ディスク５２と略同じ外径を有し、固定ディスク５２の上側において、固定ディスク５２に対して摺動回動するように設けられている。可動ディスク５３は、固定ディスク５２の各排水ポート５２ａに対応する開口部５３ａを有し、固定ディスク５２に対する相対回動位置により、選択的に１つまたは複数の排水ポート５２ａに開口部５３ａを重ねる（連通させる）とともに、他の排水ポート５２ａを閉塞する。可動ディスク５３の開口部５３ａが重なった（連通した）排水ポート５２ａは、流路切替弁装置５０に供給された洗浄水の通水が可能な状態となる。
【００５７】
可動ディスク５３は、モータ軸５５ｂに固定された軸支部材５６を介して、モータ軸５５ｂに連結されている。軸支部材５６は、上側を開口側としてモータ軸５５ｂを受け入れて固定させる筒状本体部５６ａと、筒状本体部５６ａの軸方向の中間部に設けられた拡径筒状の拡径部５６ｂと、筒状本体部５６ａから下方に向けて突出した軸状の支軸部５６ｃとを有する。
【００５８】
軸支部材５６は、筒状本体部５６ａに対して上側からモータ軸５５ｂを挿嵌させ、モータ軸５５ｂに対して相対回転不能に連結されている。軸支部材５６は、支軸部５６ｃを、可動ディスク５３に対して上側から貫通させた状態で、可動ディスク５３に固定されている。可動ディスク５３の中心部には、支軸部５６ｃを相対回転不能に貫通させる部分として、上側に突出した円筒状のボス部５３ｂが設けられている。支軸部５６ｃに突設されたキー部５６ｄが、ボス部５３ｂに形成されたキー溝部５３ｄに嵌合することで、軸支部材５６と可動ディスク５３の相対回転が規制される。
【００５９】
また、軸支部材５６の筒状本体部５６ａの下端部には、環状のバネ座部材５７が外嵌されており、バネ座部材５７と可動ディスク５３との間には、コイルばね５８が設けられている。コイルばね５８は、軸支部材５６の支軸部５６ｃを貫通させるように設けられている。コイルばね５８は、上側をバネ座部材５７に当接させるとともに、下側を可動ディスク５３のボス部５３ｂの付根部分（下端外周部）に当接させており、バネ座部材５７を介して軸支部材５６に対して可動ディスク５３を下方に付勢している。なお、バネ座部材５７は筒状本体部５６ａの下端部に形成された段差部によって軸支部材５６に係止されており、軸支部材５６に対するバネ座部材５７の上方への移動が規制されている。
【００６０】
このような構成において、流調・流路切替弁装置５０は、モータ５５の駆動によって可動ディスク５３を回動させることにより、固定ディスク５２が有する複数の排水ポート５２ａについて通水が可能となる排水ポート５２ａを選択的に切り替える。これにより、選択された排水ポート５２ａに応じて、おしり洗浄流路３１、おしりソフト流路３２、ビデ洗浄流路３３、ワイドビデ洗浄流路３４、ノズル洗浄用流路３５、便器噴霧用流路３６、および脱臭ユニット噴霧用流路３７のいずれかの給水流路に、洗浄水が選択的に供給される。
【００６１】
ケーシング５１は、略円筒状の部分であって固定ディスク５２および可動ディスク５３等を収容する収容本体部６１と、ケーシング５１の下部を構成する排水流路形成部６２とを有する。
【００６２】
収容本体部６１は、筒軸方向を上下方向とした略円筒状の周壁部６３と、周壁部６３の上部において周壁部６３の径方向外側に突出した張出部６４とを有する。張出部６４は、周壁部６３の周方向について略対向する位置となる前後２箇所に設けられている。張出部６４は、平面視で頂点側を突出端側とした略三角形状を有する略三角柱状の外形に沿う突起部分である。
【００６３】
収容本体部６１は、周壁部６３内において、周壁部６３の円筒状の外形に沿う円筒状の収容空間６３ａを形成している。収容空間６３ａの下側は、水平状の底面６３ｄとなっており、底面６３ｄ上に、固定ディスク５２が位置している。つまり、収容空間６３ａ内における下端部に固定ディスク５２が設けられており、その上に可動ディスク５３が設けられている。また、収容本体部６１は、周壁部６３の円筒形状にならって上側を略円形状に開放させており、その上側開口部の中央部にモータ軸５５ｂを位置させている。
【００６４】
固定ディスク５２と底面６３ｄとの間には、ゴム等により形成されたシール部材６５が設けられている。シール部材６５は、固定ディスク５２の下側に形成された凹部５２ｂに嵌合した状態で設けられている。シール部材６５は、固定ディスク５２が有する複数の排水ポート５２ａの形成部位に対応して、流路間を仕切るように所定の形状を有する。
【００６５】
収容本体部６１は、ケーシング５１において、略水平面状の上端面部５１ａを形成している。上端面部５１ａは、周壁部６３の上側の開口端面および２箇所の張出部６４の上面を含む。ケーシング５１の上端面部５１ａに対して、介装板７１を介してモータ５５が設けられている。
【００６６】
介装板７１は、ケーシング５１の上端面部５１ａの形状に対応した形状を有する板状部材であり、その下側の板面を上端面部５１ａに合わせるとともに、上側の板面上に、モータ５５を支持する。介装板７１は、上側の面部に、モータ５５側に形成された位置決め用の形状部分に対応した所定の凹凸形状部を有し、ケーシング５１とモータ５５との間に挟まれた状態で設けられている。
【００６７】
モータ５５は、各張出部６４に螺挿されるネジ７２により、２箇所でケーシング５１に固定されている。このため、各張出部６４には、ネジ７２が螺挿されるネジ穴６４ａが上側に開口するように形成されており、介装板７１においては、各ネジ穴６４ａに対応して、各張出部６４に対応する部分の頂部７１ａに、ネジ７２を貫通させる孔部７１ｂが形成されている。
【００６８】
また、モータ５５においては、略円筒状のケース体の下端部から、各張出部６４に対応する位置に、径方向外側に向けて突出した板状の固定用突片部５５ｃが設けられている。固定用突片部５５ｃには、ネジ７２を貫通させる孔部が形成されており、固定用突片部５５ｃは、介装板７１上に重なった状態となる。ネジ７２は、固定用突片部５５ｃおよび介装板７１の頂部７１ａを貫通し、張出部６４のネジ穴６４ａに螺挿されることで、モータ５５をケーシング５１に固定させる。このようにして、ケーシング５１の収容本体部６１の上側に、介装板７１を介してモータ５５が設けられている。
【００６９】
ケーシング５１の収容本体部６１内には、上下を開口させた円筒状のスリーブ部材７４が設けられている。スリーブ部材７４は、円筒面に沿う外周面７４ａを有するとともに、収容本体部６１の周壁部６３の内径と略同じ外径を有し、周壁部６３内に挿嵌されている。スリーブ部材７４は、ケーシング５１に対して相対回転不能につまり固定状態で設けられている。つまり、ケーシング５１と一体的な部分であり、ケーシング５１側の構成である。スリーブ部材７４の上下方向の略中央部には外周溝７４ｂが形成され、外周溝７４ｂにＯリング７５が外嵌されている。Ｏリング７５により、スリーブ部材７４と、収容空間６３ａをなす周壁部６３の内周面６３ｂとの間が密閉されている。
【００７０】
スリーブ部材７４は、下側に開口した下端部内に、可動ディスク５３を位置させるとともに、下側の開口端を、固定ディスク５２の外縁部に上側から当接させている。可動ディスク５３の外径は、スリーブ部材７４の下端部の内径と略同じ寸法となっている。
【００７１】
スリーブ部材７４は、その上部の内周側において、スリーブ部材７４の内径を部分的に縮径させた縮径部を有し、この縮径部において、円筒状の内周面により、上下を開放させた縮径孔部７４ｄを形成している。縮径孔部７４ｄには、軸支部材５６が上下に貫通している。軸支部材５６は、拡径部５６ｂの外径を縮径孔部７４ｄの内径と略一致させており、拡径部５６ｂにより、縮径孔部７４ｄに対して挿嵌された状態で設けられている。
【００７２】
縮径孔部７４ｄ内において、軸支部材５６の筒状本体部５６ａには、ゴム等により形成されたシール部材としての環状のパッキン７６が外嵌されている。パッキン７６は、拡径部５６ｂとその下方に位置するバネ座部材５７との間に設けられており、軸支部材５６と、縮径孔部７４ｄをなす内周面との間を密閉する。本実施形態では、パッキン７６は、略「Ｙ」字状の断面形状をなすいわゆるＹパッキンであり、断面形状における開放側（分岐側）を下側とする向きで設けられている。
【００７３】
以上のような構成において、スリーブ部材７４の縮径孔部７４ｄを形成する縮径部より下側における可動ディスク５３の周囲の空間部分が、流調・流路切替弁装置５０に供給されて各部へ供給される洗浄水が一時的に溜まる領域である溜り部７７となる。詳細には、溜り部７７は、主に、可動ディスク５３の上面、可動ディスク５３のボス部５３ｂの外周面、並びにスリーブ部材７４の下部の内周面および縮径部の下面等により形成された空間部分である（図１０、破線枠Ａ１参照）。なお、溜り部７７の上側は、上述したように軸支部材５６に外嵌されたパッキン７６により密閉されている。つまり、パッキン７６は、収容空間６３ａの上部を、水の供給を受ける空間部分である溜り部７７に対して水密とする。
【００７４】
以上のように、本実施形態に係る流調・流路切替弁装置５０は、流路を切り替えるために動作する可動弁体としての可動ディスク５３を含む可動部と、可動部を収容するケーシング５１と、可動部とケーシング５１側との間に設けられたシール部材としてのパッキン７６とを備える。
【００７５】
本実施形態において、可動ディスク５３を含む可動部は、モータ軸５５ｂと一体的に回動する部分であり、モータ軸５５ｂを挿嵌させた軸支部材５６と、軸支部材５６に外嵌されたバネ座部材５７と、軸支部材５６を貫通させた可動ディスク５３とからなる構成である。このような可動部に対して、パッキン７６は、軸支部材５６に外嵌された状態で設けられ、可動部とともに回動する部分をなす。したがって、パッキン７６は、可動部の回動にともなって、ケーシング５１側の構成であるスリーブ部材７４の縮径孔部７４ｄをなす内周面を摺接面として回動する。つまり、パッキン７６は、可動ディスク５３の回動にともなう摺動部分となる。このため、パッキン７６には適宜グリスが塗布される。
【００７６】
流調・流路切替弁装置５０においては、溜り部７７に連通するように、洗浄水の入水経路である給水経路が設けられている。給水経路は、収容本体部６１において周壁部６３に対して通水ブロック部７８を介して設けられた中空円筒状の入水管部７９を有する。通水ブロック部７８および入水管部７９は、溜り部７７と略同じ高さ位置に設けられている。通水ブロック部７８および入水管部７９の高さ位置は、周壁部６３における上下略中央部の高さ位置である。
【００７７】
本実施形態では、通水ブロック部７８および入水管部７９は、周壁部６３の左後部の部位に設けられており、入水管部７９は、後方に向けて水平状に突出している。具体的には、通水ブロック部７８は、周壁部６３の外周面６３ｃからブロック状に突出した部分であり、通水ブロック部７８の後側の側面から入水管部７９が突設されている。入水管部７９には、図示せぬ給水パイプ等の配管が接続され、電磁ポンプ２５からの洗浄水が供給される。
【００７８】
収容本体部６１において、通水ブロック部７８の形成部位には、溜り部７７に連通する給水通水路６３ｆが形成されている。給水通水路６３ｆは、一側を入水管部７９の基端側に連通させるとともに、他側を周壁部６３側に開口させている。給水通水路６３ｆの他側は、溜り部７７を形成するスリーブ部材７４の下部の周壁を貫通するように形成された通水口７４ｆを介して、溜り部７７に連通している。
【００７９】
以上のように、ケーシング５１には、洗浄水供給部１２に対して給水源から供給された水をケーシング５１内に流入させる給水通水路６３ｆが設けられている。そして、ケーシング５１は、その収容本体部６１において、固定ディスク５２および可動ディスク５３の周囲を囲繞するとともに給水通水路６３ｆを開口させた周壁部６３を有する。
【００８０】
収容本体部６１とともにケーシング５１を構成する排水流路形成部６２について説明する。排水流路形成部６２は、略円筒状の収容本体部６１に対して、前後両側に張り出すように形成されたブロック状の部分である。
【００８１】
排水流路形成部６２には、複数の排水管部５４が配設されている。排水管部５４は、中空円筒状の部分である。本実施形態では、上述した７本の給水流路（３１〜３７）のそれぞれを構成する７本の排水管部５４が設けられている。各排水管部５４には、各給水流路（３１〜３７）を構成するパイプ等が接続される。すなわち、流調・流路切替弁装置５０からの水の各供給先に対して、ケーシング５１をなす排水流路形成部６２に突設された排水管部５４を含む給水流路が構成されている。そして、排水流路形成部６２は、可動ディスク５３および固定ディスク５２の下側において各排水管部５４に連通するケース内流路８１を形成する（図１０参照）。
【００８２】
排水流路形成部６２において、各ケース内流路８１は、その上流側を、固定ディスク５２の各排水ポート５２ａに連通させるように上側に向けて開口させている。つまり、排水流路形成部６２においては、７つの給水流路（３１〜３７）に対応したケース内流路８１が形成されており、各ケース内流路８１は、その上流側を、対応する排水ポート５２ａに連通させている。各ケース内流路８１の下流側は、排水管部５４の基端側に連通している。
【００８３】
本実施形態では、排水流路形成部６２の右側に２本の排水管部５４（５４Ａ，５４Ｂ）が設けられ、排水流路形成部６２の後側に２本の排水管部５４（５４Ｃ，５４Ｄ）が設けられ、排水流路形成部６２の前側に３本の排水管部５４（５４Ｅ，５４Ｆ，５４Ｇ）が設けられている。
【００８４】
具体的には、排水流路形成部６２の右側においては、周壁部６３の下方の部位に、２本の排水管部５４Ａ，５４Ｂが右方に向けて水平状に突設されている。２本の排水管部５４Ａ，５４Ｂは、横並びに配設されている。
【００８５】
また、排水流路形成部６２の後側においては、ブロック状の突出部６２ｃが水平状に突設されている。突出部６２ｃにおいて、その前後内側（前側）の部位から、排水管部５４Ｃが右方に向けて水平状に突設されており、排水管部５４Ｃの配設部位に対して前後外側（後側）かつ左側の部位から、排水管部５４Ｄが右方に向けて水平状に突設されている。２本の排水管部５４Ｃ，５４Ｄは、排水管部５４Ａ，５４Ｂと略同じ高さ位置に設けられている。
【００８６】
また、排水流路形成部６２の前側においては、前側の張出部６４の下方の部位に、２本の排水管部５４Ｅ，５４Ｆが前方に向けて水平状に突設されている。排水管部５４Ｅに対して右上方の位置に、排水管部５４Ｆが設けられている。また、排水管部５４Ｆの右方の部位には、排水管部５４Ｇが上方に向けて垂直状に突設されている。
【００８７】
これらの排水管部５４と上述した７つの給水流路との対応関係の一例は、次のとおりである。右方に向けて突出した４本の排水管部５４（５４Ａ，５４Ｂ，５４Ｃ，５４Ｄ）が、上述した７つの給水流路のうちの人体洗浄用給水流路（おしり洗浄流路３１、おしりソフト流路３２、ビデ洗浄流路３３、ワイドビデ洗浄流路３４）のいずれかを構成する。また、ケーシング５１の前側に配設された３本の排水管部５４（５４Ｅ，５４Ｆ，５４Ｇ）が、残りの３つの給水流路（ノズル洗浄用流路３５、便器噴霧用流路３６、脱臭ユニット噴霧用流路３７）のいずれかを構成する。
【００８８】
以上のような構成を備えた流調・流路切替弁装置５０における洗浄水の流れについて、図１０を用いて説明する。図１０に示すように、電磁ポンプ２５を経た洗浄水は、入水管部７９から給水通水路６３ｆを介して溜り部７７に流入する。溜り部７７に流入した洗浄水は、可動ディスク５３の動作に基づいて、可動ディスク５３の開口部５３ａから、この開口部５３ａに連通した排水ポート５２ａへと下方に向けて流れる。
【００８９】
排水ポート５２ａを経た洗浄水は、排水流路形成部６２の上面６２ａに開口して排水ポート５２ａと連通したケース内流路８１へと流れ、このケース内流路８１に連通した排水管部５４に流入し、その排水管部５４を含んで構成される給水流路へと排出され、その給水流路に対応した供給先へと洗浄水が供給される。すなわち、溜り部７７に対しては、１箇所の入水管部７９から洗浄水が流入し、溜り部７７内の洗浄水は、可動ディスク５３の開口部５３ａおよび可動ディスク５３の回動位置によってその開口部５３ａが連通した固定ディスク５２の排水ポート５２ａへと下方に流れ、排水ポート５２ａからそれに対応したケース内流路８１を経て、そのケース内流路８１に対応した排水管部５４から排出される。
【００９０】
また、衛生洗浄装置２においては、操作部１１に対する操作に基づいて流調・流路切替弁装置５０の動作により選択された供給先への洗浄水の供給が終了した後、ケーシング５１内に溜まった洗浄水をケーシング５１外へと排出させる水抜きが行われる。ケーシング５１内の水抜きは、可動ディスク５３の開口部５３ａが固定ディスク５２の排水ポート５２ａに連通した状態において、バキュームブレーカ２４の動作によりケーシング５１内に連通する空間を大気開放させることによって行われる。
【００９１】
以上のような本実施形態の流調・流路切替弁装置５０では、ケーシング５１の内部において、水の供給を受ける空間部分である溜り部７７を密閉するため、ケーシング５１の周壁と、可動ディスク５３と一体的に回動する軸支部材５６との間に、パッキン７６が介装されている。このような構成においては、パッキン７６の摩耗等の経年劣化やグリスの流出等により、パッキン７６によるシール性が低下することで、例えば、可動ディスク５３の回動をともなう流路切替動作時に、パッキン７６によるシール部分からの漏水が生じる場合がある。
【００９２】
具体的には、パッキン７６によるシール部分からの漏水の漏出先は、収容本体部６１の収容空間６３ａ内におけるパッキン７６よりも上側の空間部分である上部空間８５（図１０参照）となる。上部空間８５は、主に、軸支部材５６の上端部の周囲において、スリーブ部材７４の縮径孔部７４ｄよりも上側の部分や介装板７１等により形成された空間部分である。上部空間８５は、本来水が流入する空間部分ではないため、パッキン７６によるシール部分からの漏水が上部空間８５内に溜まると、モータ５５等の装置の不具合の原因となる。そこで、流調・流路切替弁装置５０においては、パッキン７６によるシール部分からの漏水は、ケーシング５１の上部に形成された上部空間８５から外部に排出される。
【００９３】
ケーシング５１の外部に排出された漏水（以下「排出漏水」という。）は、例えば、衛生洗浄装置２において流調・流路切替弁装置５０を含む各種の装置・機器を内蔵した装置本体部４のケースカバー５内に落とされ、外部へと排出される。具体的には、例えば、排出漏水は、ケースカバー５の底部をなすベース部上を伝って、便器３のボウル部３ａへと排出される。
【００９４】
装置本体部４のケースカバー５内において、流調・流路切替弁装置５０の周囲には、配線等を含む各種装置・機器といった他の部品（周辺部品）が配置されている。具体的には、本実施形態では、図１２から図１４に示すように、周辺部品として、流調・流路切替弁装置５０の左方の直近の位置に、電解槽２３が設けられている。なお、ケースカバー５内において、流調・流路切替弁装置５０の右方の直近には、洗浄ノズル１５が平面視で長手方向を前後方向として設けられている。
【００９５】
図１２から図１４に示すように、電解槽２３は、略矩形厚板状の偏平な外形をなし一対の電極等を収容するケース体本体部９１と、ケース体本体部９１の長手方向の一側に設けられた流入口部９２と、同長手方向の他側に設けられた流出口部９３とを有する。
【００９６】
電解槽２３は、ケース体本体部９１の板厚方向を左右方向とするとともに、ケース体本体部９１の長手方向を前下がりの傾斜状とする姿勢で設けられている。また、電解槽２３は、流入口部９２を前側、流出口部９３を後側とする向きで設けられている。
【００９７】
流入口部９２は、ケース体本体部９１に対して流調・流路切替弁装置５０側（右側）に向けて筒状に突出した筒状突部９２ａと、筒状突部９２ａから前下方に向けて突設された流入管部９２ｂとを有する。流入管部９２ｂには、熱交換器２２を経た水を電解槽２３に流入させるための流入配管が接続される。流出口部９３は、ケース体本体部９１に対して流調・流路切替弁装置５０側（右側）に向けて筒状に突出した筒状突部９３ａと、筒状突部９３ａから後方に向けて突設された流出管部９３ｂとを有する。流出管部９３ｂには、電解槽２３を経た水をバキュームブレーカ２４側へと流出させるための流出部材が接続される。
【００９８】
また、電解槽２３においては、ケース体本体部９１内の各電極に電気的に接続された配線２３ａが、ケース体本体部９１から外部に延出している。２本の配線２３ａのうち、一方の電極に接続された配線２３ａ１は、ケース体本体部９１の前部において、左側の板面である外側面９１ａからケース外に延出し、ケース体本体部９１の下側から、右側の板面である内側面９１ｂ側に回り込み、ケース体本体部９１と流調・流路切替弁装置５０との間を抜けて、ケース体本体部９１に対して後左上方に向かうように取り回されている。ケース体本体部９１の前部における上側の側面９１ｃには、フック部９４が設けられており、ケース体本体部９１の内側面９１ｂ側から後左上方に取り回される配線２３ａ１は、フック部９４によってケース体本体部９１に対して係止されている。
【００９９】
また、２本の配線２３ａのうち、他方の電極に接続された配線２３ａ２は、ケース体本体部９１の後部において、内側面９１ｂからケース外に延出し、内側面９１ｂに沿って前方に向けて配され、フック部９４によってケース体本体部９１に対して係止され、配線２３ａ１と同様に、ケース体本体部９１の内側面９１ｂ側から後左上方に取り回されている。２本の配線２３ａの先端部には、コネクタ９５が設けられており、２本の配線２３ａは、１つのコネクタ９５を介して制御部１０に接続される。
【０１００】
本実施形態において、電解槽２３は、流調・流路切替弁装置５０の左側面視で、流調・流路切替弁装置５０の上半部の大部分を覆うように設けられている（図１３参照）。詳細には、上下方向については、電解槽２３は、下端を、入水管部７９と略同じ高さに位置させ、上端を、モータ５５の上端部と略同じ高さに位置させている。また、前後方向については、電解槽２３は、ケース体本体部９１の前側に設けられた流入口部９２の筒状突部９２ａを、流調・流路切替弁装置５０の左前側に位置する排水管部５４Ｅの上方に位置させ、ケース体本体部９１の後側に設けられた流出口部９３の筒状突部９３ａを、流調・流路切替弁装置５０の左後側に位置する入水管部７９の上方に位置させている。そして、電解槽２３のケース体本体部９１において流調・流路切替弁装置５０側の板面である内側面９１ｂと、流調・流路切替弁装置５０のケーシング５１との間の隙間９６に、２本の配線２３ａが位置している。
【０１０１】
以上のような流調・流路切替弁装置５０に対する電解槽２３の配設構成においては、電解槽２３に対する水による悪影響を回避する観点から、流調・流路切替弁装置５０からの排出漏水が電解槽２３に接触することを避ける必要がある。具体的には、例えば、流調・流路切替弁装置５０からの排出漏水が電解槽２３の配線２３ａにかかる場合、排出漏水は、配線２３ａを伝ってケース体本体部９１内あるいはコネクタ９５に達することで、電気的なショートや接触不良等の不具合の原因となる。
【０１０２】
そこで、本実施形態の流調・流路切替弁装置５０においては、ケーシング５１からの排出漏水を所定の部位に導くための排水構造として、次のような構成を備える。すなわち、図１５から図２０に示すように、本実施形態の流調・流路切替弁装置５０において、ケーシング５１は、パッキン７６によるシール部からの漏水をケーシング５１の外部に排出するための排水口１０１と、排水口１０１から排出された漏水（排出漏水）を所定の位置に導く排水流路部１０２とを有する。
【０１０３】
本実施形態の流調・流路切替弁装置５０は、上述したように、モータ５５のモータ軸５５ｂの軸方向を上下方向とした縦置きタイプの構成であり、パッキン７６によるシール部分からの漏水は、ケーシング５１内の上部空間８５に流入する。このため、排水口１０１は、上部空間８５を側方に開口させるように設けられており、パッキン７６よりも高い位置に形成されている。排水口１０１から排出された排出漏水は、高い位置となるケーシング５１の上端部位から、重力により流下しながら、排水流路部１０２により所定の部位に導かれる。
【０１０４】
また、本実施形態において、排水口１０１は、次のような観点から、ケーシング５１の上端部位における左前側の部位に設けられている。すなわち、流調・流路切替弁装置５０の右方には、洗浄ノズル１５が隣接配置されていることから、排出漏水の流路が洗浄ノズル１５の配設構成と干渉することを避ける必要がある。また、排出漏水は、流調・流路切替弁装置５０を内蔵したケースカバー５の前方に位置するボウル部３ａへと排出されるため、排水口１０１は前側に位置することが望ましい。したがって、排出漏水は、ケーシング５１の上端部の左前側の部位から排出される。
【０１０５】
排水口１０１は、収容本体部６１およびスリーブ部材７４それぞれの上端部が周方向について部分的に切り欠かれた態様で形成された切欠状の開口部１１１が、介装板７１により上側から塞がれることで形成されている。詳細には次のとおりである。
【０１０６】
ケーシング５１は、収容本体部６１において、介装板７１の取付面部として、水平面に沿う上端面部５１ａを有する。また、収容本体部６１内に収容された円筒状のスリーブ部材７４は、その上端面の大部分を、上端面部５１ａと略同一平面状に位置させる。スリーブ部材７４において縮径孔部７４ｄよりも上側の周壁部分である上端周壁部７４ｅの内側の空間が、上部空間８５となっている。つまり、上端周壁部７４ｅの内側においては、軸支部材５６の拡径部５６ｂに対して筒状本体部５６ａが中心部で上方に向けて突出しており、筒状本体部５６ａの周囲が上部空間８５となっている。
【０１０７】
スリーブ部材７４においては、上端周壁部７４ｅの左前側の部分に、開口部１１１の内周側の部分を形成する内側切欠部１１２が形成されている。内側切欠部１１２は、上端周壁部７４ｅの周方向の一部が所定の角度範囲で切り欠かれた部分である。内側切欠部１１２を形成する面には、縮径孔部７４ｄの上面と面一状の上面１１２ａと、上端周壁部７４ｅの周方向の両側の周壁側端面１１２ｂ，１１２ｃとが含まれる。上面１１２ａは、水平状の面であり、周壁側端面１１２ｂ，１１２ｃは、鉛直状の面である。
【０１０８】
また、スリーブ部材７４の外周側に位置するケーシング５１の周壁部６３においては、内側切欠部１１２の形成部位に対応するように、左前側の部分に、開口部１１１の外周側の部分を形成する外側切欠部１１３が形成されている。外側切欠部１１３は、周壁部６３の上端部の周方向の一部が所定の角度範囲で切り欠かれた部分である。外側切欠部１１３を形成する面には、内側切欠部１１２を形成する上面１１２ａと面一状の上面１１３ａと、周壁部６３の周方向の後側の周壁側端面１１３ｂと、前側の張出部６４の左後側の傾斜側壁面１１３ｃとが含まれる。上面１１３ａは、水平状の面であり、周壁側端面１１３ｂおよび傾斜側壁面１１３ｃは、鉛直状の面である。
【０１０９】
内側切欠部１１２を形成する周壁側端面１１２ｂ，１１２ｃは、いずれも、平面視（回転軸Ｏ１の軸方向視）で回転軸Ｏ１を中心とした円周の径方向に沿う面として形成されている。特に、後側の周壁側端面１１２ｂは、前後方向（図１８において上下方向）の位置を、回転軸Ｏ１と略一致させている。
【０１１０】
外側切欠部１１３を形成する周壁側端面１１３ｂは、平面視で回転軸Ｏ１を中心とした円周の径方向に沿う面として形成されており、同円周の周方向についての位置を周壁側端面１１２ｂと略同じとしている。外側切欠部１１３を形成する傾斜側壁面１１３ｃは、平面視において、内周側から外周側にかけて、開口部１１１の開口幅を狭める方向に傾斜している。
【０１１１】
内側切欠部１１２の上面１１２ａと外側切欠部１１３の上面１１３ａとは、略共通の水平面上に位置し、わずかな隙間を隔てて互いに略連続している。内側切欠部１１２の後側の周壁側端面１１２ｂと外側切欠部１１３の周壁側端面１１３ｂとは、略共通の鉛直面上に位置し、わずかな隙間を隔てて互いに略連続している。内側切欠部１１２の前側の周壁側端面１１２ｃと外側切欠部１１３の傾斜側壁面１１３ｃとは、わずかな隙間を隔てて互いに略連続している。傾斜側壁面１１３ｃは、平面視で、回転軸Ｏ１を中心とする円周の径方向に対して、内周側から外周側にかけて開口部１１１の開口幅を狭くする方向に傾斜している。このように、内側切欠部１１２および外側切欠部１１３は、互いに略連続しており、上部空間８５を外部に連通させる開口部１１１を形成する。
【０１１２】
本実施形態では、開口部１１１は、回転軸Ｏ１を中心とする円周方向について、約７０°の角度範囲で形成されている。つまり、図１８に示すように、平面視において、回転軸Ｏ１を通る直線のうち、後側の周壁側端面１１２ｂが位置する直線Ｌ１と、前側の周壁側端面１１２ｃが位置する直線Ｌ２とがなす角度θ１は、約７０°となっている。ただし、角度θ１の大きさは、あくまで一例であり、本実施形態に限定されるものではないが、開口部１１１について十分な開口幅を確保しスムーズな排水作用を得る観点から、開口部１１１は、例えば角度θ１が６０°〜８０°の範囲内の角度となるように形成される。
【０１１３】
排水口１０１から排出された排出漏水は、ケーシング５１の外側において、排水流路部１０２により案内される。排水流路部１０２は、排水口１０１を少なくとも一側から覆う被覆部としての被覆壁部１１５を含む。
【０１１４】
被覆壁部１１５は、左右方向を厚さ方向とする板状の部分であり、略矩形状に沿う外形を有し、排水口１０１を左方から覆うように設けられている。被覆壁部１１５は、平面視において、略円筒状の周壁部６３に対して接線状となるように、周壁部６３の左側の端部から前方に向けて延設され、前後方向に沿って形成されている。
【０１１５】
被覆壁部１１５は、前後方向については、開口部１１１の後端をなす周壁側端面１１２ｂと略同じ位置から、傾斜側壁面１１３ｃの前端と略同じ位置までの範囲で形成されている。被覆壁部１１５は、鉛直状の前端面１１５ａを有する。また、被覆壁部１１５は、上下方向については、水平状の上端面１１５ｂを、上端面部５１ａと同一平面上に位置させ、周壁部６３の略上半部の範囲で形成されている。被覆壁部１１５は、左側面視で開口部１１１の全体を覆うように形成されている。
【０１１６】
被覆壁部１１５は、外側切欠部１１３の傾斜側壁面１１３ｃとともに、排出漏水の流路幅を、内側切欠部１１２の開口幅に対して、内周側から外周側にかけて徐々に狭くしている。すなわち、図１８に示すように、平面視において、被覆壁部１１５が、開口部１１１の後端から前方に向けて延出しているのに対し、傾斜側壁面１１３ｃが、後方から前方に向けて右側から左側に向かうように傾斜しており、後側から前側にかけて流路幅が徐々に狭くなっている。被覆壁部１１５と傾斜側壁面１１３ｃは、前側を開放側としている。
【０１１７】
排水流路部１０２は、第１流路部としての上段流路部１２１と、第２流路部としての下段流路部１２２とを有する。上段流路部１２１は、被覆壁部１１５を有し排水口１０１から排出された漏水を流下させる流路部である。下段流路部１２２は、上段流路部１２１から流下した漏水を受ける受け面１２５を有し受け面１２５上の漏水を排水流路部１０２の下流側へと導く流路部である。
【０１１８】
上段流路部１２１について説明する。上段流路部１２１は、主に、被覆壁部１１５と、周壁部６３の一部であって外側切欠部１１３の下側の部分である内周壁部１１６と、被覆壁部１１５および内周壁部１１６の下部間に設けられた上段底面部１１７とにより形成されている。すなわち、上段流路部１２１を形成する面には、被覆壁部１１５の内壁面１１５ｃと、内周壁部１１６の外壁面と、上段底面部１１７の上面とが含まれる。
【０１１９】
上段流路部１２１は、前側を開放側とし、排水口１０１から流入した排出漏水を、前側から流下させる。具体的には、被覆壁部１１５の前端縁と、前側の張出部６４の左側面と傾斜側壁面１１３ｃとのなす角部の下側の内周壁部１１６の前端縁と、上段底面部１１７の前端縁とにより、上段流路部１２１の前側開口部１２４が形成されている。
【０１２０】
被覆壁部１１５の内壁面１１５ｃは、右側を向く鉛直状の平面であり、上面１１３ａに対して上側に突出した部分と、内周壁部１１６の外壁面に対して前側に突出した部分とを有する。内周壁部１１６の外壁面は、その上部を、周壁部６３の内周側から外周側にかけて下り傾斜した傾斜面１１６ａとし、下部を、鉛直状の縦壁面１１６ｂとしている。傾斜面１１６ａの大部分は、周壁部６３を下側から上側にかけて縮径させるテーパ面に沿うような傾斜形状を有する。内周壁部１１６の外壁面の左側の部分は、平面視で後側に凸の曲面をなして被覆壁部１１５の内壁面１１５ｃに繋がっている。
【０１２１】
上段底面部１１７の上面は、略水平状の（わずかに前下がりの）底面１１７ａと、底面１１７ａの前側に形成された前下がりの傾斜平面である前側傾斜面１１７ｂとを有する。底面１１７ａは、平面視で左前側を直角側とする略直角三角形状をなす。
【０１２２】
以上のように、上段流路部１２１は、周壁部６３の左前側において、被覆壁部１１５、内周壁部１１６、および上段底面部１１７により、排水口１０１から排出された排出漏水を前側から流出させる樋状の流路を構成している。上段流路部１２１の前側開口部１２４から排出された排出漏水は、受け面１２５上に流れ落ちる。
【０１２３】
また、上段流路部１２１は、排水口１０１から排出された漏水を受け面１２５に流下させるための垂下部１３０を有する。垂下部１３０は、上段流路部１２１の前側の開放部において下端縁をなす部分であり、上段底面部１１７をなす略水平状の板状の部分に対して前側において下方に向けて屈曲状に形成された鉛直状の板状の部分である。つまり、垂下部１３０は、上段流路部１２１の前側開口部の下端縁を下方に向けて突出状に延出させた態様で形成された、前後方向を板厚方向とする板状の部分である。
【０１２４】
垂下部１３０は、下方に対して先鋭形状を有する。具体的には、垂下部１３０は、その前面１３１を、鉛直状の平面としている。垂下部１３０の前面１３１は、被覆壁部１１５の前端面１１５ａと面一状の面となっている。一方、垂下部１３０の後側の上部は、水平状をなす上段底面部１１７の下面１１７ｃとともに直角状をなす鉛直状の後面１３２となっており、垂下部１３０の後側の下部は、後面１３２の下端から下側にかけて前面１３１に近付く方向に傾斜した後傾斜面１３３となっている。
【０１２５】
このように、垂下部１３０は、前面１３１と後傾斜面１３３により、側面断面視で上方から下方にかけて前後方向の寸法つまり板厚を徐々に小さくした先鋭形状を有する（図２１参照）。なお、垂下部１３０は、左右方向については、略一定の形状・寸法を有する。また、垂下部１３０は、下方の先端面を、前面１３１と後傾斜面１３３との下端間を繋ぐ水平状の下端面１３４としている。
【０１２６】
垂下部１３０において、前面１３１と後傾斜面１３３とがなす角度θ２（図２１参照）は、例えば約４５°である。ただし、角度θ２の大きさは、あくまで一例であり、本実施形態に限定されるものではないが、垂下部１３０は、例えば角度θ２が鋭角となるように形成される。このような形状の垂下部１３０を有する構成において、上段流路部１２１は、上段底面部１１７の底面１１７ａ、前側傾斜面１１７ｂ、および垂下部１３０の前面１３１により、屈曲状に連続した流路面を形成している。
【０１２７】
また、垂下部１３０の右側には、上段流路部１２１の内周壁部１１６を、垂下部１３０の前面１３１よりも突出させた突条部１３５が形成されている。突条部１３５は、前側の張出部６４の左端下方の部位から上下方向に沿って垂下部１３０の下端よりも下側の位置までの範囲で形成されている。
【０１２８】
下段流路部１２２について説明する。下段流路部１２２において、受け面１２５は、上段流路部１２１の前側の開口位置の下方、つまり垂下部１３０の下方の位置に設けられた水平状の面である。受け面１２５は、ケーシング５１を構成する排水流路形成部６２のうち、収容本体部６１の前側に張り出した前側張出部６２ｄの左前側（図１８における左下側）に形成されている。受け面１２５は、その左側について、前側張出部６２ｄの左上側の角部をなすＲ形状の曲面部６２ｅを介して、鉛直状の左側面６２ｆに繋がっている。
【０１２９】
受け面１２５は、左側以外は、壁状の部分または突条部分によって囲まれている。このため、上段流路部１２１から受け面１２５に流下した排出漏水は、受け面１２５の左側から左側面６２ｆに沿って下方へと導かれる。
【０１３０】
下段流路部１２２は、受け面１２５を囲む部分として、前側リブ部１４１と、右側リブ部１４２と、後側壁部１４３と、本体壁部１４４とを有する。
【０１３１】
前側リブ部１４１は、受け面１２５の前側において障壁状の部分をなす前側横突条部１４６と、左側面６２ｆの前側において障壁状の部分をなす前側縦突条部１４７とを有する。前側リブ部１４１は、前側張出部６２ｄにおいて排水管部５４Ｅ等が突出する前側の端面をなすとともに正面視で左上側に直角状の角部をなす壁状ないし板状の部分により形成されている。
【０１３２】
前側リブ部１４１において、受け面１２５よりも上側に突出するとともに左右方向について受け面１２５の形成範囲の全体にわたって形成された上側の突条部分が、前側横突条部１４６となる。前側横突条部１４６は、前後方向を板厚方向として左右方向に沿う直線状の板状部分である。また、前側リブ部１４１において、左側面６２ｆよりも左側に突出するとともに上下方向について左側面６２ｆの形成範囲の全体にわたって形成された左側の突条部分が、前側縦突条部１４７となる。前側縦突条部１４７は、前後方向を板厚方向として上下方向に沿う直線状の板状部分である。
【０１３３】
前側横突条部１４６の内壁面１４６ａが、受け面１２５に対して上側に立ち上がっており、前側縦突条部１４７の内壁面１４７ａが、左側面６２ｆに対して左側に立ち上がっている。したがって、曲面部６２ｅの前側においては、前側横突条部１４６と前側縦突条部１４７とにより形成された直角状の角部をなす板状の部分が突出している。
【０１３４】
右側リブ部１４２は、受け面１２５の右側において障壁状の部分をなす突条部分である。右側リブ部１４２は、前側張出部６２ｄにおいて、左右略中央部に位置し、前後方向に沿って直線状に形成されるとともに、前側リブ部１４１よりも幅広に形成されている。
【０１３５】
右側リブ部１４２は、受け面１２５に対して上側に立ち上がった内壁面１４２ａと、水平状の上面１４２ｂとを有する。右側リブ部１４２の前側は、前側リブ部１４１の前側横突条部１４６の右端部に繋がっており、右側リブ部１４２は、前側横突条部１４６とともに平面視で「Ｌ」字状をなす。右側リブ部１４２の上面１４２ｂは、前側横突条部１４６の上面１４６ｂと面一状に連続している。また、右側リブ部１４２の後側は、本体壁部１４４に繋がっている。
【０１３６】
後側壁部１４３は、受け面１２５および曲面部６２ｅの後側において障壁状の部分をなす後側壁部１５１と、左側面６２ｆの後側において障壁状の部分をなす傾斜状の後側傾斜突条部１５２とを有する。後側壁部１４３は、前側リブ部１４１の後方に位置し、前側リブ部１４１に対して対向状に形成されている。後側壁部１４３は、上下方向の全体にわたって、左右方向について略同じ位置に位置する被覆壁部１１５の外壁面１１５ｄおよび左側面６２ｆから左側に突出している。
【０１３７】
後側壁部１５１は、前後方向を板厚方向とするとともに鉛直状に形成された壁状の部分であり、受け面１２５および左側面６２ｆと、上段底面部１１７との間に架設された態様で形成されている。すなわち、後側壁部１５１の下側は、受け面１２５および左側面６２ｆに繋がっており、後側壁部１５１の上側は、上段底面部１１７の水平状の下面１１７ｃに繋がっている。
【０１３８】
後側傾斜突条部１５２は、左側面６２ｆよりも左側に突出するとともに上下方向について左側面６２ｆの形成範囲の全体にわたって傾斜状に形成された突条部分である。後側傾斜突条部１５２は、左側面視で所定の傾斜方向に沿う直線状の板状部分である。
【０１３９】
後側傾斜突条部１５２は、後側壁部１５１の左方への突出部の下側に繋がっており、後側壁部１５１の下端から前下がり状に傾斜している。つまり、後側傾斜突条部１５２は、左側面視において後側壁部１５１とともに鈍角をなすように形成されており、後側壁部１４３は、左側面視で後側壁部１５１および後側傾斜突条部１５２により屈曲状をなすように形成されている。本実施形態では、後側傾斜突条部１５２の鉛直方向に対する傾斜角度は、例えば約４５°である。ただし、後側傾斜突条部１５２の傾斜角度は限定されるものではない。後側壁部１４３は、その下端部を、左側面６２ｆの下端部に位置させ、前側縦突条部１４７の下端部と略同じ高さに位置させている
【０１４０】
後側壁部１５１の前壁面１５１ａが、受け面１２５および曲面部６２ｅに対して上側に立ち上がっており、後側傾斜突条部１５２の前面１５２ａが、左側面６２ｆに対して左側に立ち上がっている。
【０１４１】
本体壁部１４４は、周壁部６３の下部により形成された部分であり、右側リブ部１４２の後側が繋がった前壁面１５６と、上段流路部１２１を形成する内周壁部１１６が上段底面部１１７を介して下方に延長した態様の奥側壁面１５７とを有する。前壁面１５６および奥側壁面１５７は、平面断面視で屈曲状に連続している。
【０１４２】
本体壁部１４４は、右側リブ部１４２と後側壁部１５１との間において、受け面１２５から上側に立ち上がっている。具体的には、前壁面１５６は、前側の張出部６４の下側に形成された前側を向く鉛直状の壁面であり、前側横突条部１４６の右側端部の後方の位置にて受け面１２５から立ち上がっている。奥側壁面１５７は、上段底面部１１７の下側の奥側に位置する鉛直状の屈曲壁面であり、前壁面１５６の左端と後側壁部１５１の右端との間において受け面１２５から立ち上がっている。
【０１４３】
以上のような構成により、下段流路部１２２においては、受け面１２５、曲面部６２ｅ、および左側面６２ｆからなる排出漏水用の流路面に対して、上段流路部１２１から受け面１２５上に流下した排出漏水の流れを規制して案内する障壁部が設けられている。すなわち、かかる障壁部として、受け面１２５、曲面部６２ｅ、および左側面６２ｆの前側には、前側横突条部１４６および前側縦突条部１４７を有する前側リブ部１４１が設けられている。また、受け面１２５の右側には、右側リブ部１４２が設けられている。また、受け面１２５および曲面部６２ｅの後側には、後側壁部１５１が設けられており、左側面６２ｆの後側には、後側傾斜突条部１５２が設けられている。また、受け面１２５の右後側には、本体壁部１４４が設けられている。
【０１４４】
以上のように、下段流路部１２２においては、上述した各障壁部により、受け面１２５から曲面部６２ｅを経て左側面６２ｆに伝う流路が形成されている。また、下段流路部１２２においては、受け面１２５の周囲を囲む障壁部により、上段流路部１２１から流下した排出漏水が受け面１２５上において一旦貯溜される溜り部が形成されている。そして、下段流路部１２２においては、左側面６２ｆの下端部、つまり前側縦突条部１４７の下端部と後側傾斜突条部１５２の下端部との間が、排出漏水を流下排出させる排出口部１５８となっている。
【０１４５】
以上のような本実施形態の漏水の排水構造は、次のような構成を備えている。すなわち、上段流路部１２１は、所定の横方向について一側から漏水を流下させるように形成されている。本実施形態では、所定の横方向は前後方向であり、上段流路部１２１は、前後方向の一側である前側から排出漏水を流下させるように形成されている。
【０１４６】
そして、排水流路部１０２は、前後方向について互いの間に垂下部１３０を位置させるように対向状に設けられ受け面１２５に流下した水を案内する一対の障壁部を有する。本実施形態において、この一対の障壁部は、前側横突条部１４６と後側壁部１５１である。
【０１４７】
特に、本実施形態では、垂下部１３０は、前後方向について、前側横突条部１４６と後側壁部１５１との間の中央部に位置している。詳細には、図２０に示すように、前側横突条部１４６の内壁面１４６ａと、垂下部１３０の前面１３１との間の前後方向の寸法Ｄ１と、前面１３１と後側壁部１５１の前壁面１５１ａとの間の前後方向の寸法Ｄ２とは、略同じ大きさとなっている。
【０１４８】
また、寸法Ｄ１，Ｄ２の大きさについては、水滴の大きさとの関係から、３ｍｍ以上の寸法であることが好ましい。すなわち、排出漏水については、表面張力等との関係において水滴の最大の大きさが約３ｍｍであることから、良好な排水作用を得るために好ましい構成として、寸法Ｄ１，Ｄ２について３ｍｍ以上の大きさが確保される。したがって、寸法Ｄ１，Ｄ２は、例えば３〜５ｍｍ程度となるように設定される。
【０１４９】
以上のような排水構造を備えた流調・流路切替弁装置５０におけるパッキン７６によるシール部からの漏水の流れについて説明する。パッキン７６によるシール部からの漏水は、まず、パッキン７６の上方の空間部分であるケーシング５１内の上部空間８５に流入する（図１６、矢印Ｆ１参照）。上部空間８５内に溜まった漏水は、排水口１０１から排出される（図１６、矢印Ｆ２参照）。
【０１５０】
排水口１０１から排出された排出漏水は、樋状の上段流路部１２１内を通って前側へと導かれる（図１６、矢印Ｆ３参照）。ここで、上段流路部１２１を形成する内周壁部１１６には、傾斜面１１６ａが形成されているため、排水口１０１から上段流路部１２１内へのスムーズな排水作用が得られる。なお、図１６に示す縦断面図は、図９におけるＢ−Ｂ’位置の部分断面図である。
【０１５１】
上段流路部１２１内の排出漏水は、前側開口部１２４から垂下部１３０を伝って、受け面１２５上に流れ落ちる（図１５、矢印Ｆ４参照）。ここで、上段流路部１２１内において、上段底面部１１７上の排出漏水は、上段底面部１１７の底面１１７ａおよび前側傾斜面１１７ｂ上を流れ、垂下部１３０の前面１３１を伝って、受け面１２５上に流下する（図２１、矢印Ｇ１参照）。これにより、上段流路部１２１から受け面１２５上へのスムーズな排水作用が得られる。
【０１５２】
受け面１２５上に流れ落ちた排出漏水は、受け面１２５の周囲の障壁部により受け面１２５上に貯溜されながら、開放側である左側から排出される（図１５、矢印Ｆ５参照）。受け面１２５の左側から排出される排出漏水は、前側リブ部１４１および後側壁部１４３により案内されながら、曲面部６２ｅおよび左側面６２ｆを伝って、排出口部１５８から下方に向けて排出される（図１５、矢印Ｆ６参照）。排出口部１５８から排出された排出漏水は、ケーシング５１における他の部位や流調・流路切替弁装置５０をセットするためのケース部材等を伝って、ケースカバー５上に流れ落ちることになる。
【０１５３】
左側面６２ｆにおいては、後側傾斜突条部１５２の傾斜により、排出漏水の流路幅が狭められているため、左側面６２ｆを伝う排出漏水は、前後方向の全幅に対して狭められた前側の部位から流下排出される。つまり、左側面６２ｆにおいては、前側縦突条部１４７および後側傾斜突条部１５２により、上側である受け面１２５側から下側にかけて徐々に流路幅が狭められ、所定の部位へと排出漏水が導かれて排出される。
【０１５４】
以上説明した本実施形態に係る流調・流路切替弁装置５０およびそれを備えた衛生洗浄装置２によれば、ケーシング５１に設けられた排水口１０１から排出された漏水が他の部品に接触することを抑制することができ、ケーシング５１からの漏水が他の部品に悪影響を及ぼすことを防止することができる。
【０１５５】
本実施形態に係る流調・流路切替弁装置５０は、ケーシング５１の上側に配置されたモータ５５のモータ軸５５ｂの軸方向を上下方向としたいわゆる縦置きタイプであって、パッキン７６によるシール部からの漏水をケーシング５１外に排出するための排水口１０１と、排水口１０１から排出された漏水を所定の位置に導く排水流路部１０２とを有し、排水流路部１０２において、排水口１０１を左側から覆う被覆壁部１１５を有する。
【０１５６】
このような構成によれば、排水口１０１から排出された漏水が他の部品に接触することを抑制することができる。本実施形態では、流調・流路切替弁装置５０の直左方に、電解槽２３が配置されており、電解槽２３のケース体本体部９１とケーシング５１との間に、電解槽２３の配線２３ａが通っている。特に、配線２３ａは、排水口１０１が開口しているケーシング５１の上部に対応する高さ範囲内に位置しており、ケーシング５１において、配線２３ａが存在する高さ範囲の全体が、被覆壁部１１５によりカバーされている。
【０１５７】
このような構成により、電解槽２３の配線２３ａが排水口１０１内に侵入すること、延いては配線２３ａが流調・流路切替弁装置５０からの排出漏水に接触することを回避することができる。これにより、排出漏水が配線２３ａを伝って他の装置・機器に達することによる不具合を防止することができる。そして、排水流路部１０２により、排水口１０１から排出された排出漏水を狙った位置に導くことができる。
【０１５８】
また、本実施形態に係る流調・流路切替弁装置５０は、排水流路部１０２において、被覆壁部１１５を含む樋状の上段流路部１２１と、上段流路部１２１から流下した排出漏水を受ける受け面１２５を含む下段流路部１２２とを有する。
【０１５９】
このような構成によれば、排水流路部１０２における排出漏水の流れを、複数段階の流路に分けることができ、流調・流路切替弁装置５０の周囲に存在する部品に排出漏水がかかることを効果的に防止することができる。
【０１６０】
具体的には、本実施形態では、排水流路部１０２における排出漏水の流れとして、樋状の上段流路部１２１による前側から流下する第１段階の流れ（図１６、矢印Ｆ３、図１５、矢印Ｆ４参照）と、受け面１２５上における水平方向の第２段階の流れ（図１５、矢印Ｆ５参照）と、受け面１２５の左側から曲面部６２ｅおよび左側面６２ｆを伝う第３段階の流れ（図１５、矢印Ｆ６参照）との３段階の流れが得られる。これにより、効果的に、排出漏水の他部品への接触を抑制することができる。
【０１６１】
このように、本実施形態に係る漏水の排水構造によれば、縦置きタイプであることによりパッキン７６からの漏水位置が従来よりも高くなった構成において、流調・流路切替弁装置５０の周囲の部品を被水させることなく下まで排出漏水を落として排水することが可能となる。
【０１６２】
また、本実施形態に係る流調・流路切替弁装置５０は、上段流路部１２１において、受け面１２５上に排出漏水を流下させる部分として、下方に向けて先鋭形状を有する垂下部１３０を有する。
【０１６３】
このような構成によれば、上段流路部１２１から流下する排出漏水について、水切り性を向上させることができ、上段流路部１２１内に水が溜まることを抑制することができる。すなわち、垂下部１３０を先細りの形状とすることで、水の接触面積を小さくすることができるので、垂下部１３０に水滴が残りにくくなり、水を流れやすく（落ちやすく）することができる。これにより、上段流路部１２１内を流れて来た排出漏水を、狙った位置に、残さずに流し切ることが可能となる。
【０１６４】
また、本実施形態に係る流調・流路切替弁装置５０において、上段流路部１２１は、前側から排出漏水を流下させるように構成されており、下段流路部１２２は、垂下部１３０よりも前側の位置に設けられた前側リブ部１４１と、垂下部１３０よりも後側の位置に設けられた後側壁部１４３とを有する。
【０１６５】
このような構成によれば、垂下部１３０から流下した受け面１２５上の排出漏水の前後両側についての流動範囲を規制することができ、排出漏水を確実に狙った位置に導くことが可能となる。
【０１６６】
本実施形態においては、例えば、受け面１２５から前側に排出漏水が流れた場合、排水管部５４Ｆに取り付けられたチューブ１６１や排水管部５４Ｅに取り付けられたチューブ１６２に排出漏水が当たり、これらのチューブを伝って他の部品等へと水が達するという問題が生じることになる（図１２、図１３参照）。この点、受け面１２５の前側には、前側リブ部１４１が設けられていることから、排出漏水の流出を防止することができ、チューブ１６１，１６２に水がかかることを防止することができる。また、受け面１２５の後側には、後側壁部１４３が設けられていることから、後側壁部１４３よりも後側に位置する他の部品に水がかかることを防止することができる。
【０１６７】
また、上述のとおり、垂下部１３０と前側横突条部１４６および後側壁部１５１それぞれとの間の前後方向の寸法Ｄ１，Ｄ２（図２０参照）については、３ｍｍ以上の大きさが確保されることが好ましい。このような構成によれば、水滴の大きさとの関係から、上段流路部１２１から下段流路部１２２における排出漏水の流れについて良好な排水作用を得ることができる。また、垂下部１３０と前側横突条部１４６および後側壁部１５１それぞれとの間の前後方向の寸法Ｄ１，Ｄ２について十分な大きさが確保されることで、排出漏水が前側横突条部１４６あるいは後側壁部１５１を乗り越えて他の部品にかかることを抑制することができる。
【０１６８】
また、本実施形態に係る流調・流路切替弁装置５０において、排水口１０１は、平面視における周方向の角度θ１が例えば約６０〜８０°の範囲内の角度となるように形成されている（図１８参照）。このような構成によれば、重力が利用できない上部空間８５から排水口１０１への排水部分において、十分な開口面積を得ることができ、スムーズな排水を実現することができる。
【０１６９】
以上のように、本実施形態に係る漏水の排水構造は、その上段部分においては、流調・流路切替弁装置５０の左側に位置する電解槽２３の配線２３ａに対して、被覆壁部１１５により排水流路をガードしつつ前側へと排出漏水を流し、配線２３ａが存在しない下段部分においては、排出漏水が他の部品にかかることを防止すべく、ケーシング５１の左側から排出漏水を落として流している。このように、本実施形態に係る漏水の排水構造は、上下２段で互いに異なる流れを形成し、周辺部品に排出漏水がかかることを防止している。
【０１７０】
以上のように実施形態を用いて説明した本発明に係る衛生洗浄装置および流路切替弁装置は、上述した実施形態に限定されず、本発明の趣旨に沿う範囲で、種々の態様を採用することができる。
【０１７１】
上述した実施形態では、可動部を構成する軸支部材５６とケーシング５１側との間に設けられたシール部材としてのパッキン７６はＹパッキンであるが、シール部からの漏水を生じるシール部材は、例えば断面が円形ないし楕円形のＯリング等の他のシール部材であってもよい。
【０１７２】
また、上述した実施形態では、流路を切り替えるために動作する可動部を構成する部材のうち、軸支部材５６の周囲にシール部材としてのパッキン７６が設けられているが、このような構成に限定されるものではない。したがって、可動部を構成する他の部材（例えば可動ディスク５３）と、ケーシング５１側の構成との間にシール部材を設けた構成であってもよい。
【０１７３】
また、上述した実施形態では、垂下部１３０は、前面１３１と後傾斜面１３３とにより、下方に対して先細りの先鋭形状を有するが、先鋭形状をなすための形状は、特に限定されるものではない。したがって、垂下部１３０の先鋭形状は、例えば、前側を傾斜面とすることや、前後の両側を傾斜面とすること等により形成されてもよい。ただし、良好な排水性能を得るために垂下部１３０と後側壁部１５１との間の寸法を十分に確保する観点からは、上述した実施形態のように、垂下部１３０の後側を後傾斜面１３３のような傾斜面とした構成が好ましい。
【符号の説明】
【０１７４】
２      衛生洗浄装置
５０    流調・流路切替弁装置（流路切替弁装置）
５１    ケーシング
５３    可動ディスク（可動弁体）
５５    モータ
５６    軸支部材
６１    収容本体部
６２    排水流路形成部
６３    周壁部
７４    スリーブ部材
７６    パッキン（シール部材）
１０１  排水口
１０２  排水流路部
１１５  被覆壁部（被覆部）
１２１  上段流路部（第１流路部）
１２２  下段流路部（第２流路部）
１２４  前側開口部
１２５  受け面
１３０  垂下部
１３１  前面
１３３  後傾斜面
１４１  前側リブ部
１４２  右側リブ部
１４３  後側壁部
１４４  本体壁部
１４６  前側横突条部
１４７  前側縦突条部
１５１  後側壁部
１５２  後側傾斜突条部
【図１】
2020118262.tif 000003
【図２】
2020118262.tif 000004
【図３】
2020118262.tif 000005
【図４】
2020118262.tif 000006
【図５】
2020118262.tif 000007
【図６】
2020118262.tif 000008
【図７】
2020118262.tif 000009
【図８】
2020118262.tif 000010
【図９】
2020118262.tif 000011
【図１０】
2020118262.tif 000012
【図１１】
2020118262.tif 000013
【図１２】
2020118262.tif 000014
【図１３】
2020118262.tif 000015
【図１４】
2020118262.tif 000016
【図１５】
2020118262.tif 000017
【図１６】
2020118262.tif 000018
【図１７】
2020118262.tif 000019
【図１８】
2020118262.tif 000020
【図１９】
2020118262.tif 000021
【図２０】
2020118262.tif 000022
【図２１】
2020118262.tif 000023